(57)【要約】【課題】電子透かし画像の視認性が高い履歴画像を生成する。【解決手段】電子透かし画像に画像の視認性が高くなる強調処理を含む処理を行い（１３８、１４４、１５２）、強調処理が行われた電子透かし画像とアノテーション画像とプリント画像とを合成した画像を生成する（１５６）。【選択図】図２
2009071634.tif 000002
【特許請求の範囲】
【請求項１】
履歴として記憶される履歴画像と合成される画像が、電子透かし画像か否かを判定する判定手段と、
前記判定手段によって電子透かし画像と判定された場合に、前記電子透かし画像に画像の視認性が高くなる強調処理を含む処理を行う処理手段と、
前記処理手段によって処理が行われた電子透かし画像と前記履歴画像とを合成した画像を生成する生成手段と、
を含む履歴画像生成装置。
【請求項２】
前記処理手段の処理は、前記強調処理の後に行うぼかし処理及びモザイク処理の少なくとも一方を含む請求項１に記載の履歴画像生成装置。
【請求項３】
前記処理手段の処理は、前記強調処理の前に行う前記履歴画像に対応した画像寸法に切り出す切り出し処理を含む請求項１に記載の履歴画像生成装置。
【請求項４】
前記合成画像を表示する制御を行う制御手段を更に含む請求項１〜請求項３のいずれか１項に記載の履歴画像生成装置。
【請求項５】
前記判定手段は、前記履歴画像及び前記画像の画像寸法、または前記画像の所定領域における所定色の画素が形成される領域の割合に基づいて前記画像が電子透かし画像であるか否かを判定する請求項１〜請求項４のいずれか１項に記載の履歴画像生成装置。
【請求項６】
コンピュータを
履歴として記憶される履歴画像と合成される画像が、電子透かし画像か否かを判定する判定手段、
前記判定手段によって電子透かし画像と判定された場合に、前記電子透かし画像に画像の視認性が高くなる強調処理を含む処理を行う処理手段、及び
前記処理手段によって処理が行われた電子透かし画像と前記履歴画像とを合成した画像を生成する生成手段
として機能させるためのプログラム。
【発明の詳細な説明】
【技術分野】
【０００１】
この発明は、履歴画像生成装置、及びプログラムに関する。
【背景技術】
【０００２】
従来、アノテーションデータと電子ドキュメントとを縮小して合成することによりサムネイル画像を生成する画像生成装置が知られている（例えば、特許文献１参照）。また、一般的に、電子ドキュメントと、ユーザにとって視認性の低い電子透かし画像とを合成した画像データの出力、例えば印刷を行った場合には、当該画像データの履歴画像（イメージログ）を生成し、生成した履歴画像を保存する印刷装置が知られており、この印刷装置に特許文献１に記載の技術を適用した場合には、電子透かし画像と電子ドキュメントとを縮小して合成することにより履歴画像を生成する画像生成装置が考えられる。
【特許文献１】特開２００５−２４４３０１号公報
【発明の開示】
【発明が解決しようとする課題】
【０００３】
本発明は、電子透かし画像の視認性が高い履歴画像を生成する履歴画像生成装置を提供することを目的とする。
【課題を解決するための手段】
【０００４】
上記目的を達成するために、請求項１に記載の発明の履歴画像生成装置は、履歴として記憶される履歴画像と合成される画像が、電子透かし画像か否かを判定する判定手段と、前記判定手段によって電子透かし画像と判定された場合に、前記電子透かし画像に画像の視認性が高くなる強調処理を含む処理を行う処理手段と、前記処理手段によって処理が行われた電子透かし画像と前記履歴画像とを合成した画像を生成する生成手段とを含んで構成されている。
【０００５】
また、請求項２に記載の発明の履歴画像生成装置は、前記処理手段の処理を、前記強調処理の後に行うぼかし処理及びモザイク処理の少なくとも一方を含むようにしたものである。
【０００６】
また、請求項３に記載の発明の履歴画像生成装置は、前記処理手段の処理を、前記強調処理の前に行う前記履歴画像に対応した画像寸法に切り出す切り出し処理を含むようにしたものである。
【０００７】
また、請求項４に記載の発明の履歴画像生成装置は、前記合成画像を表示する制御を行う制御手段を更に含むようにしたものである。
【０００８】
また、請求項５に記載の発明の履歴画像生成装置は、前記判定手段を、前記履歴画像及び前記画像の画像寸法、または前記画像の所定領域における所定色の画素が形成される領域の割合に基づいて前記画像が電子透かし画像であるか否かを判定するようにしたものである。
【０００９】
上記目的を達成するために、請求項６に記載の発明のプログラムは、コンピュータを
履歴として記憶される履歴画像と合成される画像が、電子透かし画像か否かを判定する判定手段、前記判定手段によって電子透かし画像と判定された場合に、前記電子透かし画像に画像の視認性が高くなる強調処理を含む処理を行う処理手段、及び前記処理手段によって処理が行われた電子透かし画像と前記履歴画像とを合成した画像を生成する生成手段として機能させる。
【発明の効果】
【００１０】
請求項１に係る発明の履歴画像生成装置、及び請求項６に係る発明のプログラムによれば、本構成を有していない場合に比較して電子透かし画像の視認性が高い履歴画像を生成することができる、という効果が得られる。
【００１１】
請求項２に係る発明の履歴画像生成装置によれば、電子透かし画像の解析を防止することができ、かつ電子透かし画像が合成されていることを確認することができる、という効果が得られる。
【００１２】
請求項３に係る発明の履歴画像生成装置によれば、電子透かし画像の解析を行うことができ、かつ電子透かし画像が合成されていることを確認することができる、という効果が得られる。
【００１３】
請求項４に係る発明の履歴画像生成装置によれば、表示された合成画像から電子透かし画像を確認することができる、という効果が得られる。
【００１４】
請求項５に係る発明の履歴画像生成装置によれば、履歴画像及び履歴画像に合成される画像の画像寸法、または履歴画像に合成される画像の所定領域における所定色の画素が形成される領域の割合に基づいて履歴画像に合成される画像が電子透かし画像であるか否かを判定することができる、という効果が得られる。
【発明を実施するための最良の形態】
【００１５】
以下、図面を参照して、本発明の履歴画像生成装置の実施の形態を詳細に説明する。
【００１６】
図１に示すように、本発明の実施の形態の履歴画像生成装置としてのイメージログ生成装置１０は、イメージログ生成装置本体１２と、原稿を読み取り画像データ（例えば、ＲＧＢの画像データ）を出力するスキャナ１４と、入力された画像データに基づいて印刷を実行する印刷装置１６と、液晶などの表示部を含んで構成され、入力された画像データに基づいて表示を行う表示装置１８と、磁気ディスク装置を含んで構成されるイメージログを蓄積（記憶）するデータ蓄積装置２０と、制御装置２２とを備えている。
【００１７】
イメージログ生成装置本体１２は、印刷実行の指示が、指示を受け付ける操作パネル（図示しない）または外部のパーソナルコンピュータ等の外部装置２４から入力されると、スキャナ１４または外部装置２４から入力されたプリント画像（例えば、ＲＧＢの画像データ）と、外部装置２４から入力されたアノテ−ション画像及び電子透かし画像（例えば、各々ＲＧＢの画像データ）とを合成し、合成した画像の画像データを印刷装置１６に出力して、印刷装置１６に合成画像の印刷を実行させる。また、イメージログ生成装置本体１２は、印刷実行の指示があったプリント画像、アノテ-ション画像、及び電子透かし画像のイメージログ（履歴画像）を生成して、生成したイメージログを制御装置２２に出力する。
【００１８】
イメージログ生成装置本体１２は、ＯＳ等の基本プログラムが記憶された記憶媒体としてのＲＯＭ１２ａ、下記で詳細を説明するイメージログ生成処理ルーチンを実行するためのプログラム、下記で詳細を説明する入力画像判定処理を実行するためのプログラム及び各種処理ルーチンを実行するためのプログラム、並びにイメージログ生成処理ルーチンを実行する際に必要な、予め設定された０〜４のいずれかの整数値を示すフィルタ種別が記憶された記憶媒体としてのＨＤＤ（ハード  ディスク  ドライブ）１２ｂ、プログラムをＲＯＭ１２ａ及びＨＤＤ１２ｂから読み出して実行するＣＰＵ１２ｃ、入力画像判定処理を実行した際の画像識別情報、入力されたプリント画像、アノテ-ション画像、及び電子透かし画像、並びに各種データを一時的に記憶するＲＡＭ１２ｄ、並びにＩ／Ｏ（入出力）ポート１２ｅ等を含んで構成されたマイクロコンピュータで構成されており、これらＲＯＭ１２ａ、ＨＤＤ１２ｂ、ＣＰＵ１２ｃ、ＲＡＭ１２ｄ、及びＩ／Ｏポート１２ｅは互いにバス１２ｆで接続されている。
【００１９】
なお、上記のフィルタ種別は、各々詳細は後述するが、０は「通常合成モード」、１は「強調−１モード」、２は「強調−２モード」、３は「ぼかし（モザイク）モード」、４は「スルーモード」を表している。
【００２０】
更に、バス１２ｆには、印刷実行の指示が入力された際に、スキャナ１４または外部装置２４から入力されＲＡＭ１２ｄに一時的に記憶されたプリント画像をＤＭＡで画像処理回路１２ｉに転送するＤＭＡコントローラ１２ｇ、並びに印刷の実行の指示が入力された際に、外部装置２４から入力されＲＡＭ１２ｄに一時的に記憶されたアノテ−ション画像及び電子透かし画像をＤＭＡで合成回路１２ｊに転送するＤＭＡコントローラ１２ｈが接続されている。
【００２１】
画像処理回路１２ｉは、バス１２ｋを介してＤＭＡコントローラ１２ｇに接続されており、入力されたプリント画像に対して所定の画像処理を行う。
【００２２】
合成回路１２ｊは、バス１２ｌを介してＤＭＡコントローラ１２ｈ、及びバス１２ｍを介して画像処理回路１２ｉに接続されている。合成回路１２ｊは、入力されたプリント画像、アノテーション画像、及び電子透かし画像を合成する。これによって、合成回路１２ｊによって合成された画像は、印刷実行の指示に基づいて、ＣＰＵ１２ｃによりＩ／Ｏポート１２ｅを介して印刷装置１６に出力されて、印刷装置１６で合成された画像が印刷される。
【００２３】
ＤＭＡコントローラ１２ｇ、１２ｈは、転送が完了すると、転送する際に使用した通信経路（チャネル）を示す情報（チャネル情報）をＣＰＵ１２ｃに通知する。
【００２４】
なお、詳細は後述するが、これにより、ＣＰＵ１２ｃによって、通知されたチャネル情報を判別することによって入力された画像がプリント画像であるのか、またはアノテ−ション画像及び電子透かし画像のいずれか一方であるのかを判定することができる。例えば、本実施の形態では、通知されたチャネル情報に、転送する際に使用した通信経路がバス１２ｋであることを示す情報が含まれている場合には、入力された画像がプリント画像であると判定し、通知されたチャネル情報に、転送する際に使用した通信経路がバス１２ｌであることを示す情報が含まれている場合には、アノテ−ション画像及び電子透かし画像のいずれか一方であると判定することができる。
【００２５】
制御装置２２は、ＯＳ等の基本プログラムが記憶された記憶媒体としてのＲＯＭ２２ａ、下記で詳細を説明するイメージログ記憶処理ルーチンを実行するためのプログラム、下記で詳細を説明するサムネイル画像表示処理ルーチンを実行するためのプログラム、及び各種処理ルーチンを実行するためのプログラムが記憶された記憶媒体としてのＨＤＤ（ハード  ディスク  ドライブ）２２ｂ、プログラムをＲＯＭ２２ａ及びＨＤＤ２２ｂから読み出して実行するＣＰＵ２２ｃ、データを一時的に記憶するＲＡＭ２２ｄ、及びＩ／Ｏ（入出力）ポート２２ｅ等を含んで構成されたマイクロコンピュータで構成されており、これらＲＯＭ２２ａ、ＨＤＤ２２ｂ、ＣＰＵ２２ｃ、ＲＡＭ２２ｄ、及びＩ／Ｏポート２２ｅは互いにバス２２ｆで接続されている。
【００２６】
次に、イメージログ生成装置本体１２のＣＰＵ１２ｃが実行するイメージログ生成処理ルーチンについて図２及び図３を用いて説明する。なお、本実施の形態において、このイメージログ生成処理ルーチンは、印刷実行の指示が入力されて、履歴として記憶される履歴画像としてのプリント画像、プリント画像に合成されるアノテ−ション画像、及びプリント画像に合成される電子透かし画像が入力された場合に実行される。
【００２７】
まず、ステップ１００で、ＨＤＤ１２ｂに記憶されているフィルタ種別を読み込んで、フィルタ種別を取得する。
【００２８】
次のステップ１０２で、入力画像判定処理を行う。
【００２９】
入力画像判定処理について図３を用いて説明すると、まずステップ２００で、入力された画像がプリント画像であるか否かを判定する。例えば、ステップ２００では、通知されたチャネル情報に、転送する際に使用した通信経路がバス１２ｋであることを示す情報が含まれている場合には、入力された画像がプリント画像であると判定し、バス１２ｋであることを示す情報が含まれていない場合には、入力された画像がプリント画像でないと判定する。
【００３０】
ステップ２００で、入力された画像がプリント画像であると判定された場合には、次のステップ２０２で、入力された画像を識別するための２ビットの入力画像識別情報として、０（００）をＲＡＭ１２ｄに設定（記憶）する。そして、入力画像判定処理を終了する。
【００３１】
一方、ステップ２００で、入力された画像がプリント画像でないと判定された場合には、すなわちアノテ-ション画像または電子透かし画像であると判定された場合には、次のステップ２０４で、入力された画像の縦及び横の画像サイズ（画像寸法）と、予め定められたプリント画像の縦及び横の画像サイズとの差分が所定値以内であるか否かを判定する。入力された画像が電子透かし画像である場合には、プリント画像の縦及び横の画像サイズとほぼ等しいと考えられるので、その差分が所定値以内であるときには、入力された画像は電子透かし画像であると判定することができ、また、アノテ-ション画像は一般的にプリント画像よりも画像サイズが小さく、入力された画像がアノテ-ション画像である場合には、プリント画像の縦及び横の画像サイズとの差分が所定値より大きいと考えられるので、その差分が所定値以内でないときには、入力された画像がアノテ-ション画像であると判定することができる。
【００３２】
なお、ステップ２０４で、入力された画像の所定領域における所定色、例えばイエローの画素が形成される領域の割合（例えば、１ビット／ピクセルの場合では、イエローの画像データの所定領域における、ビットが１を示している領域の割合）が所定値以下の場合には、入力された画像が電子透かし画像であると判定し、所定値より大きい場合には、アノテーション画像であると判定するようにしてもよい。この所定値については、例えば、実験的又は統計的に、電子透かし画像の場合の所定領域における所定色の画素が形成される領域の割合と、アノテーション画像の場合の所定領域における所定色の画素が形成される領域の割合とを求め、求めた割合のうち、電子透かし画像であるがアノテーション画像ではない可能性が高い最適な割合を求めておき、この求めた割合を所定値として設定しておけばよい。
【００３３】
ステップ２０４で、肯定判定がされた場合には、次のステップ２０６で、入力画像識別情報として、１（０１）をＲＡＭ１２ｄに設定（記憶）する。そして、入力画像判定処理を終了する。
【００３４】
一方、ステップ２０６で、肯定判定がされた場合には、次のステップ２０８で、入力画像識別情報として、３（１１）をＲＡＭ１２ｄに設定（記憶）する。そして、入力画像判定処理を終了する。
【００３５】
次のステップ１０４では、入力画像識別情報をＲＡＭ１２ｄから読み込み、読み込んだ入力画像識別情報が０を示しているか否かを判定することにより、プリント画像が入力されたか否かを判定する。
【００３６】
ステップ１０４で、入力画像識別情報が０を示していると判定された場合には、次のステップ１０６で、入力されたプリント画像の画像サイズを所定の縮小率で縮小する縮小処理を行う。例えば、７２００ｐｉｘ×５１００ｌｉｎｅの画像サイズのプリント画像を、所定の縮小率で９６０ｐｉｘ×６８０ｌｉｎｅの画像サイズに縮小する縮小処理を行う。
【００３７】
次のステップ１１０では、ステップ１０６で縮小されたプリント画像の画像データをＨＤＤ１２ｂに記憶させる。そして、ステップ１１２へ進む。
【００３８】
一方、ステップ１０４で、入力画像識別情報が０を示していないと判定された場合には、次のステップ１１４で、読み込んだ入力画像識別情報が３を示しているか否かを判定することにより、アノテーション画像が入力されたか否かを判定する。
【００３９】
ステップ１１４で、入力画像識別情報が３を示していると判定された場合には、次のステップ１１６で、入力されたアノテーション画像の背景を所定色、例えば白色として、アノテーション画像の画像サイズと所定のプリント画像の画像サイズとを同一に変更し、画像サイズが所定のプリント画像と同一に変更されたアノテーション画像を、上記のステップ１０６でプリント画像を縮小した縮小率と同一の縮小率で縮小する縮小処理を行う。例えば、ステップ１１６では、所定のプリント画像の画像サイズが７２００ｐｉｘ×５１００ｌｉｎｅであり、入力されたアノテーション画像の画像サイズが２０００ｐｉｘ×１０００ｌｉｎｅである場合には、入力されたアノテーション画像の画像サイズを７２００ｐｉｘ×５１００ｌｉｎｅに変更し、画像サイズが変更されたアノテーション画像を、ステップ１０６でプリント画像を縮小した所定の縮小率で縮小する縮小処理、例えば９６０ｐｉｘ×６８０ｌｉｎｅの画像サイズに縮小する縮小処理を行う。
【００４０】
次のステップ１２０では、ステップ１１６で縮小されたアノテーション画像の背景を透明にする透明化処理を行う。例えば、ステップ１２０では、ステップ１１６で背景を白色とした場合には、背景の白色を透明にする透明化処理を行う。
【００４１】
次のステップ１２２では、ステップ１２０で透明化処理が行われたアノテーション画像の画像データをＨＤＤ１２ｂに記憶させる。そして、ステップ１１２へ進む。
【００４２】
一方、ステップ１１４で、入力画像識別情報が３を示していないと判定された場合、すなわち入力画像識別情報が１を示しており電子透かし画像であると判定された場合には、次のステップ１２４で、ステップ１００で取得したフィルタ種別が０であるか否かを判定する。
【００４３】
ステップ１２４で、フィルタ種別が０であると判定された場合には、次のステップ１２６で、入力された電子透かし画像を、上記のステップ１０６でプリント画像が縮小された場合の所定の縮小率と同一の縮小率で縮小する縮小処理を行う。例えば、ステップ１２６では、７２００ｐｉｘ×５１００ｌｉｎｅの画像サイズの電子透かし画像が入力された場合には、この電子透かし画像を、ステップ１０６でプリント画像が縮小された場合の所定の縮小率で縮小する縮小処理、例えば９６０ｐｉｘ×６８０ｌｉｎｅの画像サイズに縮小する縮小処理を行う。
【００４４】
次のステップ１３０では、ステップ１２６で縮小された電子透かし画像の背景を透明にする透明化処理を行う。例えば、ステップ１３０では、背景が白色である場合には、背景の白色を透明にする透明化処理を行う。
【００４５】
次のステップ１３２では、ステップ１３０で透明化処理が行われた電子透かし画像の画像データをＨＤＤ１２ｂに記憶させる。そして、ステップ１１２へ進む。
【００４６】
一方、ステップ１２４で、フィルタ種別が０でないと判定された場合には、次のステップ１３４で、フィルタ種別が４であるか否かを判定する。
【００４７】
ステップ１３４で、フィルタ種別が４であると判定された場合、次のステップ１３６で、上記のステップ１０６で縮小処理が行われた場合における縮小後のプリント画像の画像サイズと同一の画像サイズとなるように、入力された電子透かし画像を切り出す切り出し処理を行う。このとき、切り出す箇所は、電子透かし画像の任意の箇所でよい。例えば、ステップ１３４では、縮小後のプリント画像の画像サイズが９６０ｐｉｘ×６８０ｌｉｎｅである場合には、電子透かし画像の任意の箇所を、画像サイズが９６０ｐｉｘ×６８０ｌｉｎｅとなるように切り出す切り出し処理を行う。
【００４８】
次のステップ１３８では、ステップ１３６で切り出し処理が行われた電子透かし画像の所定色の色を視認性が高くなる色に変換する色変換処理を行う。例えば、ステップ１３８では、イエローの画像データと、イエローと比較して視認性が高いオレンジの画像データとが対応付けられたルックアップテーブルを用いて、イエローをオレンジに変換する。色変換方法の一例としてルックアップテーブルを用いて変換する方法があげられる。なお、ステップ１３８では、シアンの画像データと、シアンと比較して視認性が高いオレンジの画像データとが対応付けられたルックアップテーブルを用いて、シアンをオレンジに変換するようにしてもよい。
【００４９】
次のステップ１４０では、ステップ１３８で色変換された電子透かし画像の背景を透明にする透明化処理を行う。例えば、ステップ１４０では、背景が白色である場合には、背景の白色を透明にする透明化処理を行う。そして、ステップ１３２に進む。
【００５０】
一方、ステップ１３４で、フィルタ種別が４でないと判定された場合には、次のステップ１４２で、入力された電子透かし画像を、上記のステップ１０６でプリント画像が縮小された場合の所定の縮小率と同一の縮小率で縮小する縮小処理を行う。例えば、ステップ１４２では、７２００ｐｉｘ×５１００ｌｉｎｅの画像サイズの電子透かし画像が入力された場合には、この電子透かし画像を、ステップ１０６でプリント画像が縮小された場合の所定の縮小率で縮小する縮小処理、例えば９６０ｐｉｘ×６８０ｌｉｎｅの画像サイズに縮小する縮小処理を行う。
【００５１】
次のステップ１４４では、ステップ１４２で縮小処理が行われた電子透かし画像の所定色の色を視認性が高くなる色に変換する色変換処理を行う。例えば、ステップ１４４では、イエローの画像データと、イエローと比較して視認性が高いオレンジの画像データとが対応付けられたルックアップテーブルを用いて、イエローをオレンジに変換する。色変換方法の一例としてルックアップテーブルを用いて変換する方法が挙げられる。なお、ステップ１４４では、シアンの画像データと、シアンと比較して視認性が高いオレンジの画像データとが対応付けられたルックアップテーブルを用いて、シアンをオレンジに変換するようにしてもよい。
【００５２】
次のステップ１４６では、ステップ１４４で色変換された電子透かし画像の背景を透明にする透明化処理を行う。例えば、ステップ１４６では、背景が白色である場合には、背景の白色を透明にする透明化処理を行う。
【００５３】
次のステップ１４８では、ステップ１００で取得したフィルタ種別が１であるか否かを判定する。
【００５４】
ステップ１４８で、フィルタ種別が１であると判定された場合には、次のステップ１３２へ進み、フィルタ種別が１でないと判定された場合には、次のステップ１５０で、フィルタ種別が２であるか否かを判定する、
ステップ１５０で、フィルタ種別が２であると判定された場合には、次のステップ１５２で、電子透かし画像に画像の視認性が高くなる強調処理を行う。例えば、ステップ１５２では、電子透かし画像に、エッジ及びコントラストの少なくとも一方を強調する強調処理を行う。
【００５５】
一方、ステップ１５０で、フィルタ種別が２でないと判定された場合には、次のステップ１５４で、電子透かし画像にモザイク処理やぼかし処理を施す。そして、ステップ１３２へ進み、電子透かし画像の画像データをＨＤＤ１２ｂに記憶させると、次のステップ１１２では、同一ページの対応するプリント画像、アノテーション画像、及び電子透かし画像の３種類の画像がＨＤＤ１２ｂに記憶されたか否かを判定することにより、プリント画像、並びにこのプリント画像に合成されるアノテーション画像及び電子透かし画像が存在するか否かを判定する。
【００５６】
ステップ１１２で、３種類の画像がＨＤＤ１２ｂに記憶されていないと判定された場合には、ステップ１０２に戻り、以降の処理を再び行う。一方、ステップ１１２で、３種類の画像がＨＤＤ１２ｂに記憶されたと判定された場合には、次のステップ１５６で、ＨＤＤ１２ｂに記憶されているプリント画像、アノテーション画像、及び電子透かし画像を読み込んで、読み込んだプリント画像、アノテーション画像、及び電子透かし画像を合成して合成画像を生成し、生成した合成画像をＨＤＤ１２ｂに記憶する。
【００５７】
次のステップ１５８では、入力されたプリント画像の画像データから最終ページを示すデータを抽出できたか否かを判定することにより、入力された画像の次のページの画像が存在するか否かを判定する。
【００５８】
ステップ１５８で、次のページの画像が存在すると判定した場合には、ステップ１０２に戻り、以降の処理を再び行う。
【００５９】
一方、ステップ１５８で、存在しないと判定した場合には、ＨＤＤ１２ｂに記憶されている合成画像を読み込んで、制御装置２２に合成画像をイメージログとして出力する。
【００６０】
次に、制御装置２２のＣＰＵ２２ｃが実行するイメージログ記憶処理ルーチンについて図４（Ａ）を用いて説明する。なお、本実施の形態において、このイメージログ記憶処理ルーチンは、制御装置２２のスイッチ（図示せず）がオンされることにより所定時間間隔（例えば、数１０ｍｓｅｃ）毎に実行される。
【００６１】
まず、ステップ３００で、イメージログ生成装置本体１２からイメージログとして合成画像が入力されたか否かを判定する。
【００６２】
ステップ３００で入力されたと判定された場合には、次のステップ３０２で、入力された合成画像をイメージログをデータ蓄積装置２０に記憶させる。
【００６３】
次に、制御装置２２のＣＰＵ２２ｃが実行するサムネイル画像表示処理ルーチンについて図４（Ｂ）を用いて説明する。なお、本実施の形態において、このサムネイル画像表示処理ルーチンは、制御装置２２のスイッチ（図示せず）がオンされることにより所定時間間隔（例えば、数１０ｍｓｅｃ）毎に実行される。
【００６４】
まず、ステップ４００で、指示受付手段としての図示しない操作パネルからサムネイル画像を表示させる指示が入力されたか否かを判定する。
【００６５】
ステップ４００でサムネイル画像を表示させる指示が入力されたと判定された場合には、次のステップ４０２で、入力された指示に基づいて、表示対象となるイメージログをデータ蓄積装置２０から読み込む。
【００６６】
次のステップ４０４では、読み込んだイメージログを表示装置１８へ出力して、サムネイル画像として表示するように表示装置１８を制御する。
【００６７】
以上説明したように、図５（Ａ）に示すプリント画像、アノテーション画像、及び電子透かし画像がイメージログ生成装置本体１２に入力された場合に、予めユーザによって設定されていたフィルタ種別が０であるとき（通常合成モードの場合）には、本実施の形態におけるイメージログ生成処理のステップ１５６で生成された合成画像は、サムネイル画像表示処理によってサムネイル画像として表示装置１８に、図５（Ｂ）に示すように表示される。この図５（Ｂ）に示すような表示装置１８の表示では、ユーザは電子透かし画像を視認することが困難である。
【００６８】
また、図５（Ａ）に示すプリント画像、アノテーション画像、及び電子透かし画像がイメージログ生成装置本体１２に入力された場合に、予めユーザによって設定されていたフィルタ種別が１であるとき（強調−１モードの場合）には、本実施の形態におけるイメージログ生成処理のステップ１４４で電子透かし画像の所定色の色を視認性が高くなる色に変換する色変換処理が行われているので、ステップ１５６で生成された合成画像は、サムネイル画像表示処理によってサムネイル画像として表示装置１８に、図５（Ｃ）に示すように電子透かし画像が強調されて表示される。
【００６９】
また、図５（Ａ）に示すプリント画像、アノテーション画像、及び電子透かし画像がイメージログ生成装置本体１２に入力された場合に、予めユーザによって設定されていたフィルタ種別が２であるとき（強調−２モードの場合）には、本実施の形態におけるイメージログ生成処理のステップ１４４で電子透かし画像の所定色の色を視認性が高くなる色に変換する色変換処理が行われ、更にステップ１５２で電子透かし画像に画像の視認性が高くなる強調処理を行っているので、ステップ１５６で生成された合成画像は、サムネイル画像表示処理によってサムネイル画像として表示装置１８に、図５（Ｄ）に示すように、図５（Ｃ）の表示よりも更に電子透かし画像が強調されて表示される。
【００７０】
また、図５（Ａ）に示すプリント画像、アノテーション画像、及び電子透かし画像がイメージログ生成装置本体１２に入力された場合に、予めユーザによって設定されていたフィルタ種別が３であるとき（ぼかし（モザイク）モードの場合）には、本実施の形態におけるイメージログ生成処理のステップ１４４で電子透かし画像の所定色の色を視認性が高くなる色に変換する色変換処理が行われ、更にステップ１５４で電子透かし画像にモザイク処理やぼかし処理を施しているので、ステップ１５６で生成された合成画像は、サムネイル画像表示処理によってサムネイル画像として表示装置１８に、図５（Ｅ）に示すように、電子透かし画像の内容を把握することができないが、電子透かし画像が合成されていることを確認することができる。
【００７１】
なお、予めユーザによって設定されていたフィルタ種別が３であるとき（ぼかし（モザイク）モードの場合）には、本実施の形態におけるイメージログ生成処理のステップ１５４で電子透かし画像にモザイク処理やぼかし処理を施す例について説明したが、本発明はこれに限られず、予めユーザによって設定されていたフィルタ種別が３であるときには、ステップ１５４で、電子透かし画像を他の画像に入れ替えるようにしてもよい。このとき、サムネイル画像表示処理によってサムネイル画像として表示装置１８に、図５（Ｆ）に示すように、入れ替えられた他の画像が表示され、電子透かし画像の内容を把握することができないが、電子透かし画像の存在を確認することができるように表示される。
【００７２】
また、図５（Ａ）に示すプリント画像、アノテーション画像、及び電子透かし画像がイメージログ生成装置本体１２に入力された場合に、予めユーザによって設定されていたフィルタ種別が４であるとき（スルーモードの場合）には、本実施の形態におけるイメージログ生成処理のステップ１３６で入力された電子透かし画像を切り出す切り出し処理が行われ、ステップ１３８で電子透かし画像の所定色の色を視認性が高くなる色に変換する色変換処理が行われるので、ステップ１５６で生成された合成画像は、サムネイル画像表示処理によってサムネイル画像として表示装置１８に、図５（Ｇ）に示すように、電子透かし画像の解析が可能に表示され、かつ電子透かし画像が合成されていることを確認することができるように表示される。
【００７３】
また、本実施の形態では、イメージログ生成処理のステップ１５６で合成画像を生成して、ステップ１６０で合成画像を制御装置２２に出力する例について説明したが、合成画像を生成せずに、同一ページのプリント画像、アノテーション画像、及び電子透かし画像を対応付けて制御装置２２に出力して、制御装置２２が同一ページのプリント画像、アノテーション画像、及び電子透かし画像を対応付けて、データ蓄積装置２０に記憶させるようにしてもよい。
【００７４】
また、これまでに記載した実施例は、図１のイメージログ生成装置１０におけるＣＰＵ１２ｃ、ＲＯＭ１２ａ、ＲＡＭ１２ｄあるいはＣＰＵ２２ｃ、ＲＯＭ２２ａ、ＲＡＭ２２ｄから構成されるコンピュータによって機能を実現させるプログラムによって実施してもよい。その際、プログラムはＲＯＭ１２ａあるいはＲＯＭ２２ａ等に記憶する例が挙げられるが、当該プログラムをＣＤ−ＲＯＭ等の記録媒体に格納して提供することも可能である。
【図面の簡単な説明】
【００７５】
【図１】本実施の形態を示す概略図である。
【図２】本実施の形態におけるイメージログ生成装置本体のＣＰＵが行うイメージログ生成処理ルーチンのフローチャートを示す図である。
【図３】本実施の形態におけるイメージログ生成装置本体のＣＰＵが行う入力画像判定処理ルーチンのフローチャートを示す図である。
【図４】本実施の形態における制御装置のＣＰＵが行うイメージログ記憶処理ルーチン（Ａ）、サムネイル画像表示処理ルーチン（Ｂ）のフローチャートを示す図である。
【図５】本実施の形態におけるフィルタ種別毎の合成画像の表示結果を示す図である。
【符号の説明】
【００７６】
１０      イメージログ生成装置１０
１２      イメージログ生成装置本体
１２ａ    ＲＯＭ
１２ｂ    ＨＤＤ
１２ｃ    ＣＰＵ
１２ｄ    ＲＡＭ
１８      表示装置
２０      データ蓄積装置
２２      制御装置
２２ａ    ＲＯＭ
２２ｂ    ＨＤＤ
２２ｃ    ＣＰＵ
２２ｄ    ＲＡＭ
【図１】
2009071634.tif 000003
【図２】
2009071634.tif 000004
【図３】
2009071634.tif 000005
【図４】
2009071634.tif 000006
【図５】
2009071634.tif 000007